(57)【特許請求の範囲】
【請求項１】
地中に埋設されるベース部と該ベース部に立設され下端がわが地中に埋設される垂直壁部とを備えた建物用基礎の施工方法において、
予め地面に形成した凹所の底部に流動コンクリートを流し込み所要期間養生してベース部を形成するベース部形成工程と、
上端側が凹所の開口より上に突出し自然石を加工した自然石ブロックをベース部に直接立設して垂直壁部を形成する垂直壁部形成工程と、
上記凹所を埋め戻す埋め戻し工程とを備え、
上記ベース部形成工程で、上記自然石ブロックに形成した垂直方向の貫通孔に挿通され該自然石ブロックをベース部に固定するためのスタッドボルトを設け、
上記垂直壁部形成工程で、上記自然石ブロックをその貫通孔を上記スタッドボルトに挿通させて該ベース部に立設することを特徴とする建物用基礎の施工方法。
【請求項２】
上記ベース部形成工程で、上記自然石ブロックの下端部が嵌合する嵌合溝を形成し、
上記垂直壁部形成工程で、上記自然石ブロックをその下端部を上記ベース部の嵌合溝に嵌合して該ベース部に立設することを特徴とする請求項１記載の建物用基礎の施工方法。
【発明の詳細な説明】
【０００１】
【発明の属する技術分野】
本発明は、木造住宅等の建物用基礎の施工方法に係り、特に、地中に埋設されるベース部に建物の土台等が設けられる垂直壁部を立設してなる建物用基礎の施工方法に関する。
【０００２】
【従来の技術】
従来、建物用基礎構造として、例えば、図６（ｅ）に示すようなものが知られている。これは、地中に埋設されるベース部１と、ベース部１に立設され下端がわが地中に埋設され上端に木材の土台（図示せず）が設けられる垂直壁部２とを備えている。垂直壁部２は、ベース部１と一体にコンクリートで型成形されている。３はベース部１を支持する砕石３ａを敷設してなる地盤、４はベース部１及び垂直壁部２に埋設される補強用の鉄筋である。
【０００３】
このような従来の建物用基礎の施工方法は、図６（ａ）に示すように、予め地面に形成した砕石３ａが敷設された凹所５の底部５ａに鉄筋４を組んで流動コンクリートを流し込み、所要期間養生して固化させてベース部１を形成し、次に、図６（ｂ）に示すように、垂直壁部成形用の型枠６を組み、それから、図６（ｃ）に示すように、この型枠６に流動コンクリートを流し込んで所要時間養生し、コンクリートが固化したならば、図６（ｄ）に示すように、型枠６を外し、その後、外側表面を研磨する等の仕上げを行ない、図６（ｅ）に示すように、最後に凹部を埋め戻すことにより行なっている。
【０００４】
【発明が解決しようとする課題】
ところで、この従来の建物用基礎の施工方法にあっては、垂直壁部２の外側を研磨する等して仕上げ加工しているが、長年使用しているうちにどうしても風化が進み、変色したりひび割れしたりすることがしばしば生じて、見栄えが悪くなり、外観品質を損ねてしまうという問題があった。また、より一層耐久性を向上させたいという要請もある。
更に、施工においては、垂直壁部２を型枠６を用いて成形するので、それだけ、工数が多くなり、施工作業性も悪く、施工効率が悪いという問題もあった。更には、コンクリートの養生には、例えば、夏場では１週間程度、冬場では２週間程度も要することから、ベース部１と垂直壁部２とを夫々個別に施工するので、その２倍の時間を要し、工期が長くなって、この点でも施工効率が悪く、それだけ、コスト高になっているという問題もあった。
【０００５】
本発明は上記の問題点に鑑みてなされたもので、耐久性を向上させ長年使用しても見栄えが悪くなって外観品質を損ねてしまう事態を防止できるようにするとともに、施工の工数や工期を低減して構築できるようにして施工コストの低減を図った建物用基礎の施工方法を提供することを目的とする。
【０００６】
【課題を解決するための手段】
本発明の建物用基礎の施工方法により構築される建物用基礎構造は、地中に埋設されるベース部と該ベース部に立設され下端がわが地中に埋設される垂直壁部とを備えた建物用基礎構造において、上記垂直壁部を上記ベース部に直接立設される自然石を加工した自然石ブロックにより構成した構成としている。
【０００７】
これにより、垂直壁部の外側面には、自然石の地肌が露出するので、見栄えが良く、高級感が生じ、外観品質が向上させられる。また、長年使用しても、自然石なので、風化の進行がコンクリートと比較して極めて遅く、変色したりひび割れしたりする事態がほとんどなく、それだけ、耐久性が向上させられるとともに、見栄えが悪くなって外観品質を損ねてしまう事態が防止され、外観品質が向上させられる。
また、施工の際には、自然石ブロックをベース部に直接立設するだけで、垂直壁部を形成することができるので、従来のように型成形する場合に比較して、工数が極めて少なくなり、それだけ工期が短くて済み、また、施工作業が簡単で、施工作業性が良く、施工効率が大幅に向上させられ、コストの低減が図られる。その結果、高級感のある自然石の基礎を低コストで提供することができるようになる。
【０００８】
そして、必要に応じ、上記自然石ブロックに垂直方向の貫通孔を形成し、上記ベース部に該自然石ブロックの貫通孔に挿通されるスタッドボルトを設け、上記自然石ブロックをその貫通孔を上記スタッドボルトに挿通させて該ベース部に立設し、該スタッドボルトにナットをねじ込んで締め付け固定した構成としている。自然石ブロックがベース部に対して強固に結合させられ、支持強度が向上させられ、より一層耐久性が向上させられる。
【０００９】
また、必要に応じ、上記ベース部に上記自然石ブロックの下端部が嵌合する嵌合溝を形成し、該自然石ブロックをその下端部を上記ベース部の嵌合溝に嵌合して該ベース部に立設した構成としている。施工の際に、自然石ブロックを嵌合溝に嵌合させて位置決めできるので、位置決めが容易に行なわれ、それだけ、施工作業性が良く、施工効率が向上させられる。また、自然石ブロックが嵌合溝に嵌合させられるので、ベース部に対して強固に結合させられ、支持強度が向上させられ、より一層耐久性が向上させられる。
この場合、上記ベース部を断面矩形状に形成し、該ベース部の上側であって上記自然石ブロックの嵌合溝の左右に補強用鉄筋を埋設したことが有効である。嵌合溝が形成された分弱くなるベース部の肩部が強固に保持されることになり、より一層耐久性が向上させられる。
【００１０】
更に、必要に応じ、上記自然石ブロックの外側面に自然石で形成された化粧プレートを付設した構成としている。自然石ブロックよりも高価な自然石の材料を用いて、より一層高級感を増すことができ、外観品質を向上させることができる。
【００１１】
また、上記の目的を達成するため、本発明の建物用基礎の施工方法は、地中に埋設されるベース部と該ベース部に立設され下端がわが地中に埋設される垂直壁部とを備えた建物用基礎の施工方法において、予め地面に形成した凹所の底部に流動コンクリートを流し込み所要期間養生してベース部を形成するベース部形成工程と、上端側が凹所の開口より上に突出し自然石を加工した自然石ブロックをベース部に直接立設して垂直壁部を形成する垂直壁部形成工程と、上記凹所を埋め戻す埋め戻し工程とを備えた構成としている。
【００１２】
これにより、垂直壁部の外側面には、自然石の地肌が露出するので、見栄えが良く、高級感が生じ、外観品質が向上させられる。また、長年使用しても、自然石なので、風化の進行がコンクリートと比較して極めて遅く、変色したりひび割れしたりする事態がほとんどなく、それだけ、耐久性が向上させられるとともに、見栄えが悪くなって外観品質を損ねてしまう事態が防止され、外観品質が向上させられる。
また、施工の際には、自然石ブロックをベース部に直接立設するだけで、垂直壁部を形成することができるので、従来のように型成形する場合に比較して、工数が極めて少なくなり、それだけ工期が短くて済み、また、施工作業が簡単で、施工作業性が良く、施工効率が大幅に向上させられ、コストの低減が図られる。その結果、高級感のある自然石の基礎を低コストで提供することができるようになる。
【００１３】
そして、上記ベース部形成工程で、上記自然石ブロックに形成した垂直方向の貫通孔に挿通され該自然石ブロックをベース部に固定するためのスタッドボルトを設け、上記垂直壁部形成工程で、上記自然石ブロックをその貫通孔を上記スタッドボルトに挿通させて該ベース部に立設する構成としている。自然石ブロックがベース部に対して強固に結合させられ、支持強度が向上させられ、より一層耐久性が向上させられる。
【００１４】
また、必要に応じ、上記ベース部形成工程で、上記自然石ブロックの下端部が嵌合する嵌合溝を形成し、上記垂直壁部形成工程で、上記自然石ブロックをその下端部を上記ベース部の嵌合溝に嵌合して該ベース部に立設する構成としている。施工の際に、自然石ブロックを嵌合溝に嵌合させて位置決めできるので、位置決めが容易に行なわれ、それだけ、施工作業性が良く、施工効率が向上させられる。また、自然石ブロックが嵌合溝に嵌合させられるので、ベース部に対して強固に結合させられ、支持強度が向上させられ、より一層耐久性が向上させられる。
【００１５】
【発明の実施の形態】
以下、添付図面に基づいて、本発明の実施の形態に係る建物用基礎の施工方法について詳細に説明する。尚、上記と同様のものには同一の符号を付して説明する。
本発明の実施の形態に係る建物用基礎の施工方法により構築される建物用基礎構造は、図１に示すように、地中に埋設されるベース部１０と、ベース部１０に立設され下端２０ａがわが地中に埋設され上端２０ｂに木材からなる土台２１が設けられる垂直壁部２０とを備えている。実施の形態では、ベース部１０と垂直壁部２０とは、夫々別体に形成されている。符号３はベース部１０を支持する砕石３ａを敷設してなる地盤である。
【００１６】
図１及び図２に示すように、垂直壁部２０は、ベース部１０の中央に直接立設される自然石を加工した自然石ブロックＢを多数連設して構成されている。自然石としては、花崗岩（御影石）等種々の岩石が使用される。自然石ブロックＢは、直方体状に形成されており、例えば、厚さＴがＴ＝１００〜１５０ｍｍ（実施の形態では１２０ｍｍ）、高さＨがＨ＝５００〜６５０ｍｍ、長さＬがＬ＝２０００〜３０００ｍｍに切り出され、特に、建物の外側に面する外側面２２は予め精度の良い研磨がなされている。尚、自然石ブロックＢは、例えば、基礎のコーナー部等において配置されるものは、一義的な寸法にできない場合もあるので、一部のものは適宜に切断されて長さＬが調整される。
また、自然石ブロックＢには垂直方向の貫通孔２３が長手方向に沿って複数形成されている。
【００１７】
ベース部１０はコンクリートで断面矩形状に形成されている。ベース部１０には、自然石ブロックＢの貫通孔２３に挿通されナット１２がねじ込まれるスタッドボルト１１が自然石ブロックＢの貫通孔２３に対応して設けられている。また、ベース部１０の上側中央には、長手方向に沿って、自然石ブロックＢの下端２０ａ部が嵌合する嵌合溝１３が形成されている。嵌合溝１３の深さＤは、例えば、Ｄ＝５０ｍｍに設定されている。そして、自然石ブロックＢは、その下端２０ａ部がベース部１０の嵌合溝１３に嵌合されてベース部１０に立設されるとともに、その貫通孔２３がスタッドボルト１１に挿通させられてベース部１０に立設され、土台２１とともにスタッドボルト１１にナット１２をねじ込んで締め付け固定されている。これにより、図１に示すように、自然石ブロックＢの寸法関係が上記の場合であって、嵌合溝１３の深さＤが、Ｄ＝５０ｍｍの場合、ベース部１０からの垂直壁部２０の高さＨａは、Ｈａ＝４５０〜６００ｍｍになる。
また、ベース部１０内には、一般鉄筋１４が埋設されているとともに、ベース部１０の上側であって自然石ブロックＢの嵌合する嵌合溝１３の左右には補強用鉄筋１５が埋設されている。
【００１８】
次に、本発明の実施の形態に係る建物用基礎の施工方法について、図３及び図４に示す工程図を用いて詳細に説明する。
【００１９】
（１）ベース部形成工程
図３（ａ）（ｂ）に示すように、予め地面に形成され砕石３ａが敷設された凹所５の底部５ａに一般鉄筋１４及び補強用鉄筋１５を配設するとともに、スタッドボルト１１を配設する。また、嵌合溝１３を成形する例えば木板で形成された多数の溝用型３０を配設する。図３（ｂ）に示すように、溝用型３０はスタッドボルト１１のところで連設され、連設端３０ａにはスタッドボルト１１が挿通する凹部３１が設けられている。これら、一般鉄筋１４，補強用鉄筋１５，スタッドボルト１１及び溝用型３０は、支持金具（図示せず）等を用いて凹所５に支持されている。
そして、この状態で、凹所５の底部５ａに流動コンクリートを流し込み、所要期間養生して固化させ、固化したならば、溝用型３０を外してベース部１０を形成する。
この場合、ベース部１０の上側であって自然石ブロックＢの嵌合溝１３の左右に補強用鉄筋１５が埋設されているので、嵌合溝１３が形成された分弱くなるベース部１０の肩部が強固に保持されることになる。
【００２０】
（２）垂直壁部形成工程
図４（ａ）に示すように、上端２０ｂ側が凹所５の開口より上に突出する高さの所要の自然石ブロックＢを用意し、この自然石ブロックＢをベース部１０に直接立設して垂直壁部２０を形成する。この際には、自然石ブロックＢをその貫通孔２３をスタッドボルト１１に挿通させるとともに、その下端２０ａをベース部１０の嵌合溝１３に嵌合して、ベース部１０に立設する。この場合、自然石ブロックＢは、嵌合溝１３に嵌合されて位置決めされるので、位置決めが容易に行なわれ、それだけ、施工作業性が良く、施工効率が向上させられる。また、自然石ブロックＢは、嵌合溝１３に嵌合されているので、ベース部１０に対して強固に結合することになり、支持強度が向上させられる。
【００２１】
更に、この場合、自然石ブロックＢをベース部１０に立設するだけで、垂直壁部２０が形成されるので、従来のように型成形する場合に比較して、工数が極めて少なくなり、また、施工作業が簡単で、施工作業性が良く、施工効率が向上させられる。更に、それだけ工期が短くて済むので、この点でも施工効率が向上させられ、自然石自体に要するコストを勘案しても、コストの低減が図られる。
【００２２】
（３）埋め戻し工程
図４（ｂ）に示すように、凹所５を埋め戻す。
（４）土台設置工程
図４（ｃ）に示すように、予め、スタッドボルト１１に対応した垂直方向の貫通孔２１ａが長手方向に沿って複数形成された木材からなる土台２１を用い、この土台２１を自然石ブロックＢの上端２０ｂに設ける。この際には、木材をその貫通孔２１ａをスタッドボルト１１に挿通させ、ナット１２をスタッドボルト１１にねじ込んで締め付け固定する。この場合、自然石ブロックＢは、スタッドボルト１１及びナット１２でベース部１０に対して締め付け固定されるので、強固に結合することになり、支持強度が向上させられる。
【００２３】
このようにして、施工されて構築された建物用基礎構造によれば、図１に示すように、垂直壁部２０の外側面２２には、自然石の地肌が露出するので、見栄えが良く、高級感が生じ、外観品質が向上させられる。また、長年使用しても、自然石なので、風化の進行がコンクリートと比較して極めて遅く、変色したりひび割れしたりする事態がほとんどなく、それだけ、耐久性が向上させられるとともに、見栄えが悪くなって外観品質を損ねてしまう事態が防止され、外観品質が向上させられる。
また、自然石ブロックＢは、嵌合溝１３に嵌合されているとともに、スタッドボルト１１及びナット１２でベース部１０に対して締め付け固定されるので、強固に結合することになり、支持強度が向上させられており、この点でも、耐久性が向上させられる。更に、ベース部１０の上側であって自然石ブロックＢの嵌合溝１３の左右に補強用鉄筋１５が埋設されているので、ベース部１０の肩部も強固に保持されることになり、この点でも、耐久性が向上させられる。
【００２４】
図５には、別の建物用基礎構造を示している。これは、上記と略同様に構成されるが、上記とは異なって、自然石ブロックＢの外側面２２に、自然石で形成された化粧プレート４０が接着剤やアンカボルト等の適宜の結着手段（図５ではアンカボルト４１を示す）を用いて付設されている。化粧プレート４０の付設は埋め戻し工程の前に行なわれる。この場合、化粧プレート４０としては、自然石ブロックＢよりも高価な自然石の材料が用いられる。そのため、より一層高級感が増し、外観品質が向上させられる。
【００２６】
【発明の効果】
以上説明したように本発明の建物用基礎の施工方法によれば、垂直壁部をベース部に直接立設される自然石を加工した自然石ブロックにより構成したので、垂直壁部の外側面に自然石の地肌を露出させることができ、そのため、見栄えが良く、高級感が生じ、外観品質を向上させることができる。また、長年使用しても、自然石なので、風化の進行がコンクリートと比較して極めて遅く、変色したりひび割れしたりする事態がほとんどなく、それだけ、耐久性を向上させることができるとともに、見栄えが悪くなって外観品質を損ねてしまう事態を防止することができ、より一層、外観品質を向上させることができる。
【００２７】
また、施工の際には、自然石ブロックをベース部に直接立設するだけで、垂直壁部を形成することができるので、従来のように型成形する場合に比較して、工数が極めて少なくなり、それだけ工期が短くて済み、また、施工作業が簡単で、施工作業性が良く、施工効率を大幅に向上させることができ、コストの低減を図ることができ、その結果、高級感のある自然石の基礎を低コストで提供することができるようになる。
【００２８】
そして、自然石ブロックをその貫通孔をスタッドボルトに挿通させてベース部に立設し、スタッドボルトにナットをねじ込んで締め付け固定した場合には、自然石ブロックをベース部に対して強固に結合させることができ、支持強度を向上させ、より一層耐久性を向上させることができる。
また、自然石ブロックをその下端部をベース部の嵌合溝に嵌合してベース部に立設した場合には、施工の際に、自然石ブロックを嵌合溝に嵌合させて位置決めできるので、位置決めを容易に行なうことができ、それだけ、施工作業性が良く、施工効率を向上させることができる。また、自然石ブロックを嵌合溝に嵌合させるので、ベース部に対して強固に結合させることができ、支持強度を向上させ、より一層耐久性を向上させることができる。
【００２９】
更に、建物用基礎構造において、ベース部を断面矩形状に形成し、ベース部の上側であって自然石ブロックの嵌合溝の左右に補強用鉄筋を埋設した場合には、嵌合溝が形成された分弱くなるベース部の肩部が強固に保持されることになるので、より一層耐久性を向上させることができる。
更にまた、建物用基礎構造において、自然石ブロックの外側面に自然石で形成された化粧プレートを付設した場合には、自然石ブロックよりも高価な自然石の材料を用いて、より一層高級感を増し、外観品質を向上させることができる。
【図面の簡単な説明】
【図１】  本発明の実施の形態に係る建物用基礎の施工方法により構築される建物用基礎構造を示す断面図である。
【図２】  本発明の実施の形態に係る建物用基礎の施工方法により構築される建物用基礎構造に用いられる自然石ブロックの構成を示す斜視図である。
【図３】  本発明の実施の形態に係る建物用基礎の施工方法を示す工程図であり、（ａ）はベース部形成工程を示す断面図、（ｂ）はその平面図である。
【図４】  本発明の実施の形態に係る建物用基礎の施工方法を示す工程図であり、（ａ）は垂直壁部形成工程を示す断面図、（ｂ）は埋め戻し工程を示す断面図、（ｃ）は土台設置工程を示す断面図である。
【図５】  本発明の実施の形態に係る建物用基礎の施工方法により構築される別の建物用基礎構造を示す断面図である。
【図６】  従来の建物用基礎の施工方法の一例を示す工程図である。
【符号の説明】
３  地盤
３ａ  砕石
５  凹所
１０  ベース部
１１  スタッドボルト
１２  ナット
１３  嵌合溝
１４  一般鉄筋
１５  補強用鉄筋
２０  垂直壁部
２０ａ  下端
２０ｂ  上端
Ｂ  自然石ブロック
２１  土台
２２  外側面
２３  貫通孔
３０  溝用型
３０ａ  連設端
３１  凹部
４０  化粧プレート
４１  アンカボルト
【図１】
0003643343.tif 000002
【図２】
0003643343.tif 000003
【図３】
0003643343.tif 000004
【図４】
0003643343.tif 000005
【図５】
0003643343.tif 000006
【図６】
0003643343.tif 000007